(57)【特許請求の範囲】
【請求項１】
通信回線で互いに接続された複数のパチンコ玉計数機からなるパチンコ玉計数システムであって、
上記各パチンコ玉計数機は、
所定期間において計数した玉数合計を記憶する記憶手段と、
故障した場合に、故障していない他のパチンコ玉計数機のうち計数可能な代替機を表示する表示手段と、
故障から復帰した場合に、
故障していない他のパチンコ玉計数機が計数した上記玉数合計を収集する収集手段と、
この収集手段により収集された玉数合計に基づき、この故障していない他のパチンコ玉計数機の１台あたりの平均玉計数を算出する算出手段と、
この故障していない他のパチンコ玉計数機の中から最も多い玉数合計を有するパチンコ玉計数機を特定するとともに、この特定したパチンコ玉計数機に対して稼動を停止させる指示を出力する稼動停止指示手段と、
この稼動停止指示手段により停止させたパチンコ玉計数機に対し、故障から復帰したパチンコ玉計数機が上記平均玉計数を計数した時点でこの停止させたパチンコ玉計数機の稼動を再開させる指示を出力する稼動再開指示手段と、
を具備することを特徴とするパチンコ玉計数システム。
【請求項２】
上記表示手段は、
上記代替機として、故障したパチンコ玉計数機から最も近い箇所に設置されている故障していない他のパチンコ玉計数機名を表示すること
を特徴とする請求項１記載のパチンコ玉計数システム。
【請求項３】
上記収集手段は、
故障していない他のパチンコ玉計数機のすべてに対して故障復帰情報を出力し、この故障復帰情報を受け取ったパチンコ玉計数機の記憶手段から玉数合計を上記通信回線を介して取り出すこと
を特徴とする請求項１記載のパチンコ玉計数システム。
【発明の詳細な説明】
【０００１】
【発明の属する技術分野】
本発明は、パチンコ遊戯者の出玉数を計数するパチンコ玉計数システムに関する。
【０００２】
【従来の技術】
従来の玉計数機は、複数のパチンコ遊戯台からなる島の一側端や、管理人のいるカウンタ周辺に設置されており、パチンコ遊戯者（以下、客という）が獲得したパチンコ玉（以下、単に玉という）数を計数した後、この計数した玉を排出口から島に設けられている一時貯蔵用タンクに流出するようになっている。
【０００３】
【発明が解決しようとする課題】
しかしながら、上述した従来の玉計数機は、各島等に配置されている他の玉計数機の動作状態とに関係なしに、単独で動作しているため、故障により使用できない場合が発生したときには、これに替わる代替機を客に知らせることができず、お客に対して迷惑をかけるという問題点があった。
【０００４】
また、各島に設置されているパチンコ台の種類等により、各島ごとの出玉数の相違があるので、各島に設置されている玉計数機に流される玉数に大きな変動がある。このため、流される玉数が多い玉計数機では、計数負荷がかかり過ぎて故障が多く発生するという問題点があった。
【０００５】
そこで、本発明は上述のような問題点に鑑み、故障により使用できない場合が発生したときには、これに替わる代替機を客に知らせることができるとともに、計数負荷を均等にして故障の発生を防止するパチンコ玉計数システムを提供することを目的とする。
【０００６】
【課題を解決するための手段】
上述の目的を達成するために、請求項１記載の発明は、通信回線で互いに接続された複数のパチンコ玉計数機からなるパチンコ玉計数システムであって、上記各パチンコ玉計数機は、所定期間において計数した玉数合計を記憶する記憶手段と、故障した場合に、故障していない他のパチンコ玉計数機のうち計数可能な代替機を表示する表示手段と、故障から復帰した場合に、故障していない他のパチンコ玉計数機が計数した上記玉数合計を収集する収集手段と、この収集手段により収集された玉数合計に基づき、この故障していない他のパチンコ玉計数機の１台あたりの平均玉計数を算出する算出手段と、この故障していない他のパチンコ玉計数機の中から最も多い玉数合計を有するパチンコ玉計数機を特定するとともに、この特定したパチンコ玉計数機に対して稼動を停止させる指示を出力する稼動停止指示手段と、この稼動停止指示手段により停止させたパチンコ玉計数機に対し、故障から復帰したパチンコ玉計数機が上記平均玉計数を計数した時点でこの停止させたパチンコ玉計数機の稼動を再開させる指示を出力する稼動再開指示手段とを具備することを特徴とする。
【０００７】
請求項２記載の発明は、請求項１記載の発明において、上記表示手段は、上記代替機として、故障したパチンコ玉計数機から最も近い箇所に設置されている故障していない他のパチンコ玉計数機名を表示することを特徴とする。
【０００８】
請求項３記載の発明は、請求項１記載の発明において、上記収集手段は、故障していない他のパチンコ玉計数機のすべてに対して故障復帰情報を出力し、この故障復帰情報を受け取ったパチンコ玉計数機の記憶手段から玉数合計を上記通信回線を介して取り出すことを特徴とする。
【００１０】
本発明によれば、故障が発生すると、通信回線を介して正常に稼働する他の玉計数機をチェックし、これに替わる代替機が表示されるため、客に対するサービスが向上する。
【００１１】
特に、表示される代替機として最も近い箇所に設置されている正常に稼働する機器名が表示されるため、客に対して玉計数処理のための移動を最小限にすることができる。
【００１２】
さらに、故障から復帰すると、通信回線を介して収集した他の玉計数機からの玉数に基づき、算出された平均玉数まで、所定の玉計数機の稼働を停止させる。
【００１３】
特に、停止させる玉計数機を最も多い玉数のものとするため、計数負荷を均等にすることができる。
【００１４】
以下、本発明に係るパチンコ玉計数システムの実施形態を図面を参照して説明する。
【００１５】
図１は本発明に係る玉計数機の一実施形態の玉計数機の回線接続態様についての説明図、図２は本発明に係る玉計数機の一実施形態の構成を示すブロック図である。
【００１６】
この実施形態の玉計数機１は、遊戯者が獲得した出玉数を計数するものであって、図１に示すように、各パチンコ島等に設置されており、そして互いに通信回線２で接続されている。
【００１７】
この実施形態の玉計数機１は、図２に示すように、制御部１０と、通信ドライバ１１と、計数部１２と、表示部１３と、機器自体の動作設定や電源のＯＮ／ＯＦＦスイッチ等の操作スイッチ１４と、玉の預り書を印字出力するプリンタ１５とから構成されている。
【００１８】
制御部１０は、処理プログラムに従い機器自体を制御するＣＰＵ１０１，ＣＰＵ１０１が処理する内容を規定する処理プログラムを格納する処理プログラムメモリ１０２，所定期間、例えば１日間において計数した玉数の合計を記憶するメモリ１０３，ＣＰＵ１０１と計数部１２間をインターフェースする計数ＩＦ１０４，ＣＰＵ１０１と表示部１３，操作スイッチ１４およびプリンタ１５間をインターフェースする入出力Ｉ／Ｆ１０５，ＣＰＵ１０１と通信ドライバ１１間をインターフェースする通信Ｉ／Ｆ１０６とから構成されている。
【００１９】
通信ドライバ１１は、他の島等に設置された玉計数機に対し、故障発生情報，故障復帰情報等の情報を送受信するように構成されている。
【００２０】
計数部１２は、図示しない玉検知センサからの玉検知信号を受信する毎に加算して玉を計数するように構成されている。
【００２１】
表示部１３は、例えば液晶表示板であって、故障が発生すると、これに替わる代替機として、最も近い箇所に設置されている正常に稼働する機器名を表示するように構成されている。
【００２２】
次に、この実施形態の玉計数機の動作を図３のフローチャートを参照して説明する。
【００２３】
今、＃ｉの玉計数機１が玉つまりが発生し、玉を計数することができなくなると（ステップ１１０）、この玉計数機１の通信ドライバ１１が、回線２を介して島等に設置されている他の玉計数機１に対し、故障が発生した旨の情報（故障発生情報）を出力する（ステップ１２０）。
【００２４】
その後、この故障発生情報を受けた＃ｉ−１と＃ｉ＋１の玉計数機１から計数可能状態であるとの情報を通信ドライバ１１を介してＣＰＵ１０１が受けると、ＣＰＵ１０１は、入出力Ｉ／Ｆ１０５を介して表示部１３に、例えば“ただいま故障につき、＃ｉ−１または＃ｉ＋１の玉計数機１を御使用下さい”とメッセージを表示させる（ステップ１３０）。
【００２５】
ＣＰＵ１０１は、表示部１３にメッセージを表示させたのち、玉つまりが解消し、玉計数を行うことができるようになると、通信ドライバ１１，回線２を介して島等に設置されている他の玉計数機１に対し、故障から復帰した旨の情報（故障復帰情報）を出力するとともに、表示部１３に表示している“ただいま故障につき、＃ｉ−１または＃ｉ＋１の玉計数機１を御使用下さい”との内容のメッセージを消去する（ステップ１４０）。
【００２６】
ＣＰＵ１０１は、故障復帰情報を出力したのち、本機＃ｉを除いた＃１〜＃ｎの他の玉計数機１のそれぞれから、所定期間、例えば朝開店したときから現時点までの期間中に計数した玉数合計を回線２および通信ドライバ１１を介して収集すると（ステップ１５０）、この収集した各玉計数機１の玉数合計から、最も玉数を計数した玉計数機１を特定するとともに、１台当たりの平均を算出する（ステップ１６０）。
【００２７】
なお、＃ｉの玉計数機から故障復帰情報を受けたときの他の玉計数機１の動作を説明すると、他の玉計数機１は、通信ドライバ１１を介して故障復帰情報を受けると、ＣＰＵ１０１がメモリ１０３に記憶されている玉数合計を読み出し、これを通信ドライバ１１，回線２を介して故障復帰情報を出力した玉計数機１に出力するようになっている。
【００２８】
＃ｉの玉計数機１のＣＰＵ１０１は、１台当たりの玉数合計の平均を算出すると、先に特定した最も玉数を計数した玉計数機１に対し、稼働を停止させる指示を出力する（ステップ１７０）。
【００２９】
その後、ＣＰＵ１０１は、故障から復帰した玉計数機１が玉を計数していき、玉数合計値が先に算出した一台当たりの平均玉計数になったか否かを判断する（ステップ１８０）。
【００３０】
ＣＰＵ１０１は、玉数合計値が一台当たりの平均玉計数になっていない場合には（ステップ１８０；Ｎ）、玉数合計値が一台当たりの平均玉計数になるまで同様な判断を繰り返す一方、玉数合計値が一台当たりの平均玉計数になった場合には（ステップ１８０；Ｙ）、先に稼働を停止させた玉計数機１に対して稼働の再開させる指示を出力して稼働を再開させ（ステップ１９０）、処理を終了する。
【００３１】
この実施形態によれば、故障が発生すると、正常に稼働する本機と最も近い箇所に設置されている機器名が表示部１３に表示されているため、客に対する玉計数処理のための移動を最小限にすることができる。
【００３２】
また、故障から復帰すると、他の玉計数機１のそれぞれから収集した玉数合計に基づき、ＣＰＵ１０１が一台当りの平均玉数を算出し、この算出した平均玉数を計数するまで、最も玉数合計の多い玉計数機１の稼働を停止するので、計数負荷を均等にすることができる。
【００３３】
なお、本実施形態の玉計数機１は、稼働を停止する台数を１台としているのは、計数負荷を単に均等にするのであれば、複数台の稼働を同時に停止すればよいが、かえって客に対するサービスの低下をきたすためである。
【００３４】
【発明の効果】
以上本発明によれば、この実施形態によれば、故障が発生すると、通信回線を介して正常稼働する玉計数機をチェックし、故障機に替わる代替機を表示するようにしたことにより、客に対するサービスを向上することができる。
【００３５】
特に、表示される代替機として最も近い箇所に設置されている正常に稼働する機器名が表示されるようにしたことにより、玉計数処理における客の移動距離を最少限に止めることができる。
【００３６】
さらに、故障から復帰すると、通信回線を介して収集した他の玉計数機からの玉数合計に基づき、算出された平均玉数まで、所定の玉計数機の稼働を停止させることにより、計数負荷を均等にするため、故障発生を防止することができる。
【００３７】
特に、停止させる玉計数機を最も多い玉数のものとすることにより、計数負荷を一層均等にすることができる。
【図面の簡単な説明】
【図１】本発明に係る玉計数機の一実施形態の玉計数機の回線接続態様についての説明図。
【図２】本発明に係る玉計数機の一実施形態の構成を示すブロック図である。
【図３】この実施形態の玉計数機の動作を示すフローチャート。
【符号の説明】
１      玉計数機
２      通信回線
１０    制御部
１１    通信ドライバ
１２    計数部
１３    表示部
１４    操作スイッチ
１５    プリンタ
１０１  ＣＰＵ
１０２  処置プログラムメモリ
１０３  メモリ
１０４  計数Ｉ／Ｆ
１０５  入出力Ｉ／Ｆ
１０６  通信Ｉ／Ｆ
【図１】
0003663610.tif 000002
【図２】
0003663610.tif 000003
【図３】
0003663610.tif 000004